(57)【要約】【課題】会議システムにおいて、会議の画像を受信する機器の利用シーンに合わせて、会議の画像に明るさ調整等の適切な画像処理を行うことを容易にする情報処理装置を提供する。【解決手段】情報処理装置は、会議の画像を撮像する撮像手段と、前記撮像された画像に第１画像処理を行う第１画像処理手段と、前記第１画像処理が行われた画像を送信する送信手段と、予め定められた複数の利用シーンのうちの少なくとも一の利用シーンを指定する利用シーン情報を受信した場合、前記受信した利用シーン情報に応じて前記第１画像処理の処理内容を変更する変更手段と、を有する。【選択図】図３
2015188200.tif 000002
【特許請求の範囲】
【請求項１】
通信先の機器に送信する画像を撮像する撮像手段と、
前記撮像された画像に第１画像処理を行う第１画像処理手段と、
前記第１画像処理が行われた画像を前記通信先の機器に送信する送信手段と、
予め定められた複数の利用シーンのうちの少なくとも一の利用シーンを指定する利用シーン情報を前記通信先の機器から受信した場合、前記受信した利用シーン情報に応じて前記第１画像処理の処理内容を変更する変更手段と、
を有する情報処理装置。
【請求項２】
前記変更手段は、前記受信した利用シーン情報と、前記第１画像処理の処理内容とに基づいて、前記通信先の機器に、前記送信する画像の画像処理を要求する請求項１に記載の情報処理装置。
【請求項３】
前記第１画像処理は、前記撮像された画像の明るさを変更する処理を含む請求項１又は２に記載の情報処理装置。
【請求項４】
前記通信先の機器から画像を受信する受信手段と、
前記受信した画像に第２画像処理を行う第２画像処理手段と、
を有し、
前記通信先の機器からの要求に応じて前記第２画像処理を行う請求項１乃至３のいずれか一項に記載の情報処理装置。
【請求項５】
前記第２画像処理が行われた画像を表示する表示手段と、
前記表示手段に前記予め定められた複数の利用シーンを選択可能に表示させる表示制御手段と、
を有し、
前記表示した複数の利用シーンの中から選択された利用シーンに応じた利用シーン情報を前記通信先の機器に送信する請求項４に記載の情報処理装置。
【請求項６】
前記予め定められた複数の利用シーンに係る情報を、ネットワークを介して接続されたサーバ装置から取得する請求項１乃至５のいずれか一項に記載の情報処理装置。
【請求項７】
会議の画像を撮像する撮像手段と、
前記撮像された画像に基づく第１の画像に第１の画像処理を行う画像処理手段と、
前記第１の画像処理が行われた第２の画像を前記会議に参加する第１の機器に送信する送信手段と、
予め定められた複数の利用シーンのうちの第１の利用シーンを指定する利用シーン情報を前記第１の機器から受信した場合、前記受信した利用シーン情報に応じて前記第１の画像処理の処理内容を変更する変更手段と、
を有する会議システム。
【請求項８】
前記画像処理手段は、前記第１の画像に第２の画像処理をさらに行い、
前記送信手段は、前記第２の画像処理が行われた第３の画像を前記会議に参加する第２の機器に送信し、
前記変更手段は、
前記複数の利用シーンのうちの第２の利用シーンを指定する利用シーン情報を前記第２の機器から受信した場合、前記第２の機器から受信した利用シーン情報に応じて前記第２の画像処理の処理内容を変更する請求項７に記載の会議システム。
【請求項９】
前記画像処理手段は、前記会議システムのサーバ装置に含まれることを特徴とする請求項７又は８に記載の会議システム。
【請求項１０】
通信先の機器に送信する画像を撮像する撮像手段によって撮像された画像に第１画像処理を行う第１画像処理手段と、
前記第１画像処理が行われた画像を前記通信先の機器に送信する送信手段と、
予め定められた複数の利用シーンのうちの少なくとも一の利用シーンを指定する利用シーン情報を前記通信先の機器から受信した場合、前記受信した利用シーン情報に応じて前記第１画像処理の処理内容を変更する変更手段と、
としてコンピュータを機能させるためのプログラム。
【発明の詳細な説明】
【技術分野】
【０００１】
本発明は、情報処理装置、会議システム、及びプログラムに関する。
【背景技術】
【０００２】
インターネット等の通信ネットワークを介して、遠隔地等と会議を行うテレビ会議システムが知られている。このようなテレビ会議システムでは、テレビ会議装置等を用いて参加者の画像や音声等を取得し、通信先のテレビ会議装置等に送信する。また、通信先のテレビ会議装置から受信した画像をディスプレイや、プロジェクタ等の表示装置に表示し、受信した音声をスピーカ等から音声出力する。これにより、テレビ会議システムの参加者は、遠隔地間で実際の会議に近い状態で会議を行うことができる。
【０００３】
このようなテレビ会議システムにおいて、会議画像の中から、参加者の顔、ホワイトボード等の対象を抽出し、抽出した複数の対象の中から最も優先順位が高い対象の画像歪が小さくなるように歪補正を行う技術が知られている（例えば、特許文献１参照）。
【発明の概要】
【発明が解決しようとする課題】
【０００４】
しかし、テレビ会議は様々な利用シーン（利用環境、状況等）で行われる場合がある。例えば、利用環境の例として、比較的外からの光が入らない会議室、外からの光により逆光環境になりやすい会議室、プロジェクタを利用した会議室、ホワイトボードを利用した会議室等がある。このような異なる利用環境で、例えば、特許文献１に開示された技術のように、優先度の高い対象に合わせて、単一のパラメータ（例えば、明るさの設定）で撮像した画像を送信すると、環境によって会議画像が見難くなってしまう場合がある。
【０００５】
このように、会議システムにおいて、会議の画像を受信する機器の利用シーンに合わせて、会議の画像に明るさ調整等の適切な画像処理を行うことには困難を伴っていた。
【０００６】
本発明の実施の形態は、上記問題点に鑑みてなされたものであり、会議システムにおいて、会議の画像を受信する機器の利用シーンに合わせて、会議の画像に明るさ調整等の適切な画像処理を行うことを容易にする情報処理装置を提供することを目的とする。
【課題を解決するための手段】
【０００７】
上記課題を解決するため、本発明の一実施形態に係る情報処理装置は、通信先の機器に送信する画像を撮像する撮像手段と、前記撮像された画像に第１画像処理を行う第１画像処理手段と、前記第１画像処理が行われた画像を前記通信先の機器に送信する送信手段と、予め定められた複数の利用シーンのうちの少なくとも一の利用シーンを指定する利用シーン情報を前記通信先の機器から受信した場合、前記受信した利用シーン情報に応じて前記第１画像処理の処理内容を変更する変更手段と、を有する。
【発明の効果】
【０００８】
本発明の実施の形態によれば、会議システムにおいて、会議の画像を受信する機器の利用シーンに合わせて、会議の画像に明るさ調整等の適切な画像処理を行うことを容易にする情報処理装置を提供することができる。
【図面の簡単な説明】
【０００９】
【図１】一実施形態に係る会議システムであるテレビ会議システムの構成例を示す図である。
【図２】一実施形態に係るテレビ会議装置のハードウェア構成例を示す図である。
【図３】一実施形態に係るテレビ会議システムの機能構成図である。
【図４】一実施形態に係るテレビ会議装置の機能構成図である。
【図５】一実施形態に係る利用シーン選択画面の一例である。
【図６】第１の実施形態に係るテレビ会議装置（受信側）の処理の流れを示すフローチャートである。
【図７】第１の実施形態に係るテレビ会議装置（送信側）の処理の流れを示すフローチャートである。
【図８】第２の実施形態に係るテレビ会議装置（送信側）の処理の流れを示すフローチャートである。
【図９】第２の実施形態に係るテレビ会議装置（受信側）の処理の流れを示すフローチャートである。
【図１０】第３の実施形態に係るサーバ装置のハードウェア構成例を示す図である。
【図１１】第３の実施形態に係るテレビ会議システムの機能構成図である。
【図１２】第３の実施形態に係るサーバ装置の処理の流れを示すフローチャートである。
【図１３】第３の実施形態に係る会議システムの処理の一例を示すシーケンスチャートである。
【図１４】第３の実施形態に係る会議システムの処理の別の一例を示すシーケンスチャートである。
【発明を実施するための形態】
【００１０】
以下に、本発明の実施の形態について、添付の図面を参照して説明する。
【００１１】
＜システムの構成＞
図１は一実施形態に係る会議システムであるテレビ会議システムの構成例を示す図である。テレビ会議システム（会議システム）１００は、例えば、インターネット等のネットワーク１０３に接続された複数のテレビ会議装置１０１−１〜１０１−４と、サーバ装置１０２とを備える。尚、以下の説明の中で、複数のテレビ会議装置１０１−１〜１０１−４のうちの任意のテレビ会議装置を示す場合、「テレビ会議装置１０１」を用いる。
【００１２】
テレビ会議装置１０１は、テレビ会議システム１００に対応した端末装置である。テレビ会議装置１０１は、例えば、ＰＣ（Personal Computer）、タブレット端末、スマートフォン等の汎用の情報処理装置であっても良いし、テレビ会議システム１００用の専用端末等の情報処理装置であっても良い。尚、テレビ会議装置１０１が汎用の情報処理装置である場合、テレビ会議装置１０１の各機能は、例えば、情報処理装置にインストールされたアプリケーションプログラム等によって実現される。
【００１３】
サーバ装置１０２は、例えば、テレビ会議装置１０１−１〜１０１−４と接続しているか否かの接続状態のモニタ、テレビ会議の開始／終了時の接続制御、テレビ会議中の画像（映像）や音声等のデータの送受信等の制御を行う。尚、サーバ装置１０２は、テレビ会議装置１０１から得られたデータをエンコードしたり、テレビ会議装置１０１から得られたエンコードされたデータをデコードしたりする機能を有していても良い。
【００１４】
上記構成により、テレビ会議装置１０１は、サーバ装置１０２を介して、他のテレビ会議装置１０１間と通信を行い、画像や音声を送受信することができる。これにより、例えば、テレビ会議装置１０１−１の利用者は、他のテレビ会議装置１０１−２〜１０１−４の利用者と、リアルタイムに送受信される画像や音声を介してテレビ会議を行うことができる。
【００１５】
尚、図１の構成はあくまで一例である。例えば、テレビ会議システム１００を構成するテレビ会議装置１０１の数は２つ以上の任意の数であって良い。また、テレビ会議装置１０１は、サーバ装置１０２を介さずに、他のテレビ会議装置１０１と通信を行うピアツーピア接続が可能なものであっても良い。さらに、テレビ会議システム１００は、複数のサーバ装置１０２を有していても良い。
【００１６】
＜ハードウェア構成＞
図２は、一実施形態に係るテレビ会議装置のハードウェア構成例を示す図である。テレビ会議装置１０１は、一般的なコンピュータの構成を有しており、例えば、ＣＰＵ（Central Processing Unit）２０１、メモリ２０２、記録装置２０３、通信Ｉ／Ｆ（Interface）部２０４、カメラ部２０５、マイク部２０６、スピーカ部２０７、表示部２０８、操作部２０９、バス２１０等を有する。
【００１７】
ＣＰＵ２０１は、例えば、記録装置２０３等からプログラムやデータを読み出し、処理を実行することで、テレビ会議装置１０１が備える各機能を実現する演算装置である。ＣＰＵ２０１は、例えば、テレビ会議装置１０１用のプログラムを実行することにより、テレビ会議装置１０１の全体制御、テレビ会議の制御、送受信する画像の画像処理、及び送受信する音声の音声処理等の各機能を実現する。
【００１８】
メモリ２０２は、例えばＲＡＭ（Random Access Memory）、ＲＯＭ（Read Only Memory）等の記憶装置を含む。ＲＡＭは、ＣＰＵ２０１のワークエリア等として利用される揮発性のメモリである。ＲＯＭは、例えば、テレビ会議装置１０１の起動プログラムや、設定値等を記憶する不揮発性のメモリである。記録装置２０３は、例えば、ＣＰＵ２０１が実行する機器制御、テレビ会議制御等のプログラムや、データ等を記録したストレージ装置であり、例えば、ＨＤＤ（Hard Disk Device）、ＳＳＤ（Solid State Drive）、フラッシュＲＯＭ等で構成される。
【００１９】
通信Ｉ／Ｆ部２０４は、テレビ会議装置１０１をネットワーク１０３に接続し、他のテレビ会議装置１０１や、サーバ装置１０２等とデータの送受信を行うための通信部である。通信Ｉ／Ｆ部２０４は、例えば、１０Ｂａｓｅ−Ｔ、１００Ｂａｓｅ−ＴＸ、１０００Ｂａｓｅ−Ｔに対応した有線ＬＡＮ（Local Area network）や、８０２．１１ａ／ｂ／ｇ／ｎに対応した無線ＬＡＮ等のインタフェース等で構成される。
【００２０】
カメラ部２０５は、例えば、テレビ会議の参加者等の画像を撮像する撮像手段である。カメラ部２０５は、撮像した会議の画像等を所定の画像データに変換し、バス２１０等を介してＣＰＵ２０１等に送信する。この時、カメラ部２０５は、例えば、設定されたカメラパラメータ等に基づいて撮像した画像の明るさ等を変更することができる。カメラ部２０５は、例えば、デフォルトのカメラパラメータを有しており、そのカメラパラメータの値は、ＣＰＵ２０１で動作するプログラム等により動的に変更可能である。
【００２１】
マイク部２０６は、例えば、会議参加者の音声を取得し、所定の音声データに変換して、バス２１０等を介して、ＣＰＵ２０１等に送信する。マイク部２０６は、例えば、複数の指向性マイク等を含む。
【００２２】
スピーカ部２０７は、例えば、ＣＰＵ２０１等から受信した所定の音声データを音声に変換して出力する。
【００２３】
表示部２０８は、例えば、ＣＰＵ２０１等から受信した画像データを表示する表示手段であり、例えば、ＬＣＤ（Liquid Crystal Display）ディスプレイ、又は、プロジェクタ等の表示装置である。
【００２４】
操作部２０９は、操作ボタンや、キーボード等、テレビ会議装置１０１がユーザの操作を受付ける手段である。
【００２５】
バス２１０は、例えば、アドレスバス、データバス、及び各種制御信号等を伝達する。
【００２６】
尚、図２において、カメラ部２０５、マイク部２０６、スピーカ部２０７、表示部２０８等は、その一部がテレビ会議装置１０１の本体の外部に接続された外付けの機器であっても良い。或いは、テレビ会議装置１０１に接続されたディスプレイ装置（表示部２０８）が、カメラ部２０５、マイク部２０６、スピーカ部２０７等を内蔵していても良い。
【００２７】
＜機能構成＞
（テレビ会議システムの機能構成）
図３は、一実施形態に係るテレビ会議システムの機能構成図である。図３は、テレビ会議装置１０１−１から、テレビ会議装置１０１−２に画像を送信する場合の機能構成の例を示している。
【００２８】
図３において、送信側のテレビ会議装置１０１−１は、撮像手段３０１、第１画像処理手段３０２、送信手段３０３、変更手段３０４、受信手段３０５を有する。また、受信側のテレビ会議装置１０１−２は、受信手段３０６、第２画像処理手段３０７、表示手段３０８、表示制御手段３０９、送信手段３１０を有する。
【００２９】
撮像手段３０１は、例えば、会議の参加者、ホワイトボード、プロジェクタの投影画像等の会議の画像を撮像する手段であり、例えば、図２のカメラ部２０５や、その制御プログラム等を含む。
【００３０】
第１画像処理手段３０２は、撮像手段３０１が撮像した画像に、例えば、明るさ調整等の画像処理（第１画像処理）を行う。第１画像処理手段３０２は、例えば、図２のＣＰＵ２０１で動作するプログラム等によって実現される。或いは、第１画像処理手段３０２は、図２のカメラ部２０５等に含まれる、例えば、カメラＤＳＰ（Digital Signal Processor）等の画像処理部であっても良い。尚、第１画像処理手段３０２が行う画像処理は、例えば、輝度調整、コントラスト調整、ガンマ調整等、画像の明るさが実質的に変更される処理を含む。
【００３１】
送信手段３０３は、第１画像処理手段３０２によって画像処理が行われた画像（画像データ）を、サーバ装置１０２を介して、通信先のテレビ会議装置１０１−２に送信する。また、送信手段３０３は、画像データ以外の情報、例えば、通信制御情報や、利用シーン情報等の送信も行うことができる。送信手段３０３は、例えば、図２の通信Ｉ／Ｆ部２０４や、その制御プログラム等を含む。
【００３２】
変更手段３０４は、予め定められた複数の利用シーンのうちの少なくとも一つの利用シーンを指定する利用シーン情報を受信した場合、受信した利用シーン情報に応じて第１画像処理が行う画像処理の処理内容を変更する。例えば、変更手段３０４は、受信した利用シーン情報に応じて、第１画像処理手段として機能するプログラムの処理内容等を変更し、撮像された画像の明るさ等を変更する。或いは、変更手段３０４は、受信した利用シーン情報に応じて、カメラ部２０５のカメラパラメータ（例えば、カメラ部２０５のカメラＤＳＰの設定値等）を変更して、撮像された画像の明るさ等を変更するもの等であっても良い。尚、利用シーンは、例えば、会議室環境、逆光環境、プロジェクタ環境等の利用環境や、参加者の顔を見ながら会議を行う、１人の発表者が発表を行う等の利用形態等を含む。
【００３３】
また、変更手段３０４は、通信先の複数のテレビ会議装置１０１から、種類の異なる利用シーン情報を受信した場合、第１画像処理手段３０２の画像処理（第１画像処理）の処理内容を、複数の利用シーンに対応した処理内容に変更する。さらに、変更手段３０４は、受信した利用シーン情報と、第１画像処理の処理内容とに基づいて、利用シーン情報を送信したテレビ会議装置１０１に、送信した画像への追加の画像処理（第２画像処理）を要求する。
【００３４】
ここで、第１画像処理と第２画像処理について、具体的な例をあげて説明する。
【００３５】
例えば、プロジェクタを利用した会議において、ある拠点ではプロジェクタで投影した画像に着目しており、他の拠点ではプロジェクタで投影した画像を電子データで所持しているため、参加者の表情に着目しているものとする。このように利用シーンが異なる場合、プロジェクタの投影画像に明るさを最適化すると人の顔が暗くなり、また、人の顔に最適化するとプロジェクタの投影画像が白飛びする等、送信側の画像処理（第１画像処理）だけで異なる利用シーンに対応することは困難である。
【００３６】
そこで、本実施の形態に係る送信側のテレビ会議装置１０１−１は、例えば、２つの利用シーン情報に対応する共通の画像処理を第１画像処理手段で行う。また、必要に応じて、受信側のテレビ会議装置１０１−２、１０１−３等に追加の画像処理（第２画像処理）を要求する。これにより、本実施形態に係るテレビ会議装置１０１−１は、利用シーンの異なるテレビ会議装置１０１−２、１０１−３等のそれぞれに送信する会議の画像に、適切な画像処理を行うことができるようになる。
【００３７】
尚、このとき、送信側で複数の利用シーン情報に対応する共通の画像処理を第１画像処理手段で行うことにより、第２画像処理に係る負荷を軽減すると共に、送信画像の白飛びや、黒潰れ等を低減させることができる。
【００３８】
受信側のテレビ会議装置１０１は、テレビ会議装置１０１−１から受信した要求に応じて第２画像処理を行うことにより、要求した利用シーンに対応した画像を表示することができる。
【００３９】
図３に戻ってテレビ会議システム１００の機能構成の説明を続ける。受信手段３０５、３０６は、サーバ装置１０２を介して、通信先のテレビ会議装置１０１から送信された、会議の画像や、利用シーン情報等のデータや情報を受信する手段である。受信手段３０５、３０６は、例えば、図２の通信Ｉ／Ｆ部２０４と、その制御プログラム等を含む。
【００４０】
第２画像処理手段３０７は、受信手段３０６が受信した画像に画像処理（第２画像処理）を行う手段である。第２画像処理手段３０７は、例えば、通信先のテレビ会議装置１０１−１からの要求に応じて、受信した画像に画像処理を行う。尚、第２画像処理手段３０７は、例えば、図２のＣＰＵ２０１によって実行されるプログラム等によって実現される。
【００４１】
表示手段３０８は、第２画像処理手段３０７によって画像処理された会議の画像を表示する手段であり、例えば、図２の表示部２０８と、その制御プログラム等を含む。
【００４２】
表示制御手段３０９は、例えば、ユーザの操作等に応じて、表示手段３０８に前述した予め定められた複数の利用シーンを選択可能に表示する。また、表示制御手段３０９は、ユーザに選択された利用シーンに対応する利用シーン情報を、送信手段３１０及びサーバ装置１０２を介して、通信先のテレビ会議装置１０１−１に送信する。表示制御手段３０９は、例えば、ＣＰＵ２０１で動作するプログラム等によって実現される。
【００４３】
送信手段３１０は、会議の画像や、利用シーン情報等を、サーバ装置１０２を介してテレビ会議装置１０１−１に送信する手段である。送信手段３１０は、例えば、図２の通信Ｉ／Ｆ部２０４と、その制御プログラム等を含む。
【００４４】
上記構成により、送信側のテレビ会議装置１０１−１は、撮像手段３０１が撮像した画像に、第１画像処理手段により画像処理（第１画像処理）を行い、処理された画像を、サーバ装置１０２を介して、通信先のテレビ会議装置１０１−２に送信する。さらに、テレビ会議装置１０１−１は、通信先のテレビ会議装置１０１−２から、利用シーン情報を受信した場合、受信した利用シーン情報に応じて、第１画像処理手段による画像処理の処理内容（例えば、画像の明るさ設定等）を変更する。
【００４５】
また、受信側のテレビ会議装置１０１−２は、通信先のテレビ会議装置１０１−１から、サーバ装置１０２を介して受信した画像を表示手段３０８に表示する。また、通信先のテレビ会議装置１０１−１からの要求に応じて、受信した会議の画像に第２画像処理手段により画像処理（第２画像処理）を行う。また、テレビ会議装置１０１−２の表示制御手段３０９は、表示手段３０８に予め定められた複数の利用シーンを選択可能に表示し、ユーザに選択された利用シーンの利用シーン情報を、送信手段３１０を用いてテレビ会議装置１０１−１に送信する。
【００４６】
これにより、テレビ会議システム１００では、受信側のテレビ会議装置１０１−２のユーザが、会議を行う会議室の利用環境や、利用形態等に応じて、利用シーンを指定することができる。また、テレビ会議装置１０１−１は、指定された利用シーンに応じて、送信する会議の画像への画像処理の処理内容を変更することができる。すなわち、テレビ会議システム１００では、利用シーンが異なる通信先に応じて、撮像した会議の画像に明るさ調整等の適切な画像処理を容易に行うことができる。
【００４７】
（テレビ会議装置の機能構成）
図４は、一実施形態に係るテレビ会議装置の機能構成図である。テレビ会議システム１００では、一般的に、双方向に会議画像の送受信が行われる。従って、テレビ会議装置１０１は、図４に示すように、図３の送信側、及び受信側の各手段を有していることが望ましい。
【００４８】
図４において、テレビ会議装置１０１は、前述した撮像手段３０１、第１画像処理手段３０２、送信手段３０３、変更手段３０４、受信手段３０５、第２画像処理手段３０７、表示手段３０８、表示制御手段３０９等の各手段を有する。
【００４９】
尚、送信手段３０３と受信手段３０５は、必ずしも別々に設けられている必要はなく、図４に示すように、例えば、一つの通信手段４０１等であっても良い。また、第１画像処理手段と、第２画像処理手段は、一つの画像処理部で第１及び第２の画像処理を行うものであっても良い。
【００５０】
テレビ会議装置１０１−１、及びテレビ会議装置１０１−２が図４の構成を有することにより、双方向で会議の画像を送受信し、かつ利用シーンに応じて送信する画像に適切な画像処理を行うことができるようになる。
【００５１】
＜利用シーンの選択画面＞
ここで、表示制御手段３０９が表示する利用シーンの選択画面について説明する。
【００５２】
図５は、一実施形態に係る利用シーンの選択画面の一例である。図５の例では、表示制御手段３０９は、表示画面５０１に、利用シーンの選択画面として、会議室環境５０２、逆光環境５０３、プロジェクタ環境５０４、プロジェクタ環境（表情重視）５０５等の利用シーンを選択可能に表示させている。
【００５３】
表示画面５０１に表示された利用シーンの選択画面から、会議室環境５０２が選択されると、一般的な会議室の環境に最適な画像となるように画像処理（例えば、画像の明るさ調整）が行われる。
【００５４】
逆光環境５０３が選択されると、表示画像を見たときに逆光となる逆光環境でも、通信先の参加者（発言者）の表情が判りやすくなるように画像処理（例えば、画像の明るさ調整）が行われる。例えば、逆光環境でも見易いように、画像の明るさを明るくする処理、及び／又はコントラストを高くする処理等が行われる。
【００５５】
プロジェクタ環境５０４が選択されると、プロジェクタで表示した画像が見易くなるように画像処理が行われる。例えば、投影画像の白飛びを低減するため、画像の明るさを暗くする処理等が行われる。
【００５６】
プロジェクタ環境（表情重視）５０５が選択されると、プロジェクタで画像を表示した環境で、通信先の参加者の表情が見易くなるように画像処理（例えば、画像明るさ調整）が行われる。例えば、参加者の画像の黒潰れを低減するため、画像の明るさを明るくする処理等が行われる。
【００５７】
テレビ会議装置１０１のユーザは、例えば、上記複数の利用シーンの中から、図２の操作部２０９、例えば、マウス等のポインティングデバイスや、タッチパネル等を用いて、利用シーンを選択することができる。表示制御手段３０９は、選択された利用シーンを示す利用シーン情報を、送信手段３０３、又は３１０等により、通信先のテレビ会議装置１０１に送信する。
【００５８】
尚、上記複数の利用シーンに対応した画像処理の設定は、例えば、出荷時にテレビ会議装置１０１の記録装置２０３等に予め記憶しておくと良い。或いは、撮像した画像に基づいて、動的にパラメータを決定するものであっても良い。
【００５９】
また、テレビ会議システム１００は、サーバ装置１０２に複数の利用シーンの情報を記憶しておき、テレビ会議装置１０１は、サーバ装置１０２に記憶された利用シーンの設定情報を取得して、上記利用シーン情報に関する処理を行うものであっても良い。これにより、新たな利用シーンの追加や、画像処理の処理内容等の追加、更新等が容易に行えるようになる。
【００６０】
尚、図５に示す複数の利用シーンは、あくまで一例である。複数の利用シーンは、例えば、プロジェクタ、ディスプレイ等の表示装置の構成を選択するものであっても良いし、会議モード、プレゼンテーションモード等、会議の形態を選択するものであっても良い。さらに、複数の利用シーンは、明るい会議室、暗い会議室、大会議室、小会議室、屋外等、利用環境を選択するもの等であっても良い。
【００６１】
＜処理の流れ＞
［第１の実施形態］
図６は、第１実施形態に係るテレビ会議装置（受信側）の処理の流れを示すフローチャートである。図３において、テレビ会議装置１０１−２（受信側のテレビ会議装置）は、会議開始時に利用シーン情報が設定されているかどうかの確認を行う（ステップＳ６０１）。
【００６２】
ステップＳ６０１において、利用シーン情報が設定されている場合、テレビ会議装置１０１−２は、設定されている利用シーン情報を、サーバ装置１０２を介して、通信先のテレビ会議装置１０１−１に送信する（ステップＳ６０２）。一方、ステップＳ６０１において、利用シーン情報が設定されていない場合、テレビ会議装置１０１−２は、利用シーン情報の送信を行わずに、ステップＳ６０３へ移行する。
【００６３】
次に、テレビ会議装置１０１−２は、会議が終了したかどうかの判断を行い（Ｓ６０３）、会議が終了していない場合、すなわち、会議が継続している場合、利用シーンの変更の有無を確認する（ステップＳ６０４）。一方、ステップＳ６０３において、会議が終了した場合、処理を終了する。
【００６４】
ステップＳ６０４において、利用シーン情報の変更がある場合、テレビ会議装置１０１−２は、変更後の利用シーン情報を、サーバ装置１０２を介して、通信先のテレビ会議装置１０１−１に送信する（ステップＳ６０５）。一方、ステップＳ６０４において、利用シーン情報の変更がない場合、テレビ会議装置１０１−２は、ステップＳ６０３に戻って処理を繰り返す。
【００６５】
上記処理により、テレビ会議装置１０１−２は、テレビ会議の開始時、又はテレビ会議中に設定された利用シーン情報を、通信先のテレビ会議装置１０１−１に送信する。
【００６６】
図７は、第１の実施形態に係るテレビ会議装置（送信側）の処理の流れを示すフローチャートである。テレビ会議装置１０１−１（送信側のテレビ会議装置）は、会議が開始すると、デフォルトのカメラパラメータを用いて撮像した会議の画像、又はデフォルトの画像処理を行った会議の画像を、テレビ会議装置１０１−２に送信する（ステップＳ７０１）。
【００６７】
また、テレビ会議装置１０１−１は、ステップＳ７０２において、会議が終了したかどうかの判断を行い、会議が終了していない場合、すなわち、会議が継続している場合、利用シーン情報の要求があるかどうかを確認する（ステップＳ７０３）。一方、ステップＳ７０２において、会議が終了している場合、テレビ会議装置１０１−１は、処理を終了する。
【００６８】
ステップＳ７０３において、利用シーン情報がある場合、利用シーン情報に対応した画像処理を適用して（例えば、明るさ設定を変更して）、会議の画像を通信先のテレビ会議装置１０１−２に送信する（ステップＳ７０４）。一方、ステップＳ７０３において、利用シーン情報がない場合、テレビ会議装置１０１−１は、ステップＳ７０２に戻って処理を繰り返す。
【００６９】
上記処理により、送信側のテレビ会議装置１０１−１は、受信側のテレビ会議装置１０１−２から受信した利用シーン情報に基づいて、撮像した会議画像への画像処理の内容（例えば、明るさ設定）を変更する。
【００７０】
［第２の実施形態］
第２の実施形態では、テレビ会議装置１０１−１が、複数のテレビ会議装置１０１−２〜１０１−４と通信する場合の処理について説明する。
【００７１】
図８は、第２の実施形態に係るテレビ会議装置（送信側）の処理の流れを示すフローチャートである。送信側のテレビ会議装置、例えば、図１のテレビ会議装置１０１−１は、会議が開始すると、デフォルトのカメラパラメータを用いて撮像した会議の画像、又はデフォルトの画像処理を行った会議の画像を、通信先のテレビ会議装置に送信する（ステップＳ８０１）。
【００７２】
また、テレビ会議装置１０１−１は、ステップＳ８０２において、会議が終了したかどうかの判断を行い、会議が終了していない場合、すなわち、会議が継続している場合、利用シーン情報の要求があるかどうかを確認する（ステップＳ８０３）。一方、ステップＳ８０２において、会議が終了している場合、テレビ会議装置１０１−１は、処理を終了する。
【００７３】
ステップＳ８０３において、利用シーン情報がある場合、テレビ会議装置１０１−１は、要求された利用シーン情報が１種類であるかどうかを判断する（ステップＳ８０４）。ステップＳ８０４において、利用シーン情報が１種類である場合、第１の実施形態と同様に、利用シーン情報に対応した第１画像処理（例えば、明るさ変更）を行い、会議の画像を通信先のテレビ会議装置に送信する（ステップＳ８０５）。
【００７４】
一方、ステップＳ８０４において、利用シーン情報が１種類でない場合、すなわち、２種類以上の異なる利用シーン情報がある場合、テレビ会議装置１０１−１は、複数の利用シーン情報に対応した第１画像処理を行う（ステップＳ８０６）。
【００７５】
例えば、図１のテレビ会議装置１０１−２から受信した利用シーン情報により、撮像した画像に＋５の明るさ補正が必要であり、また、テレビ会議装置１０１−３から受信した利用シーン情報により、＋３の明るさ補正が必要であるものとする。この場合、テレビ会議装置１０１−１の変更手段３０４は、上記２つの利用シーン情報に対応する共通の処理として、例えば、＋３の明るさ補正を含むように第１画像処理の処理内容を変更する。
【００７６】
続いて、テレビ会議装置１０１−１は、処理した画像を通信先のテレビ会議装置に送信する（ステップＳ８０６）。
【００７７】
さらに、テレビ会議装置１０１−１は、要求された利用シーン情報と、上記複数の利用シーンに対応した第１画像処理の処理内容と基づいて、利用シーン情報を送信したテレビ会議装置に第２画像処理の処理要求と処理情報を送信する（ステップＳ８０７）。
【００７８】
例えば、前述したように、テレビ会議装置１０１−２からの利用シーン情報により、＋５の明るさ補正が必要であり、テレビ会議装置１０１−３からの利用シーン情報により、＋３の明るさ補正が必要であるものとする。また、第１画像処理手段３０２により、２つの利用シーン情報に対応する共通の処理として、＋３の明るさ補正が行われたものとする。この場合、テレビ会議装置１０１−１の変更手段３０４は、＋５の明るさ補正が必要な利用シーン情報を送信したテレビ会議装置１０１−２に対して、＋２の追加の明るさ補正を含む第２画像処理を要求する。一方、テレビ会議装置１０１−１の変更手段３０４は、＋３の明るさ補正が必要な利用シーン情報を送信したテレビ会議装置１０１−３に対しては、既に明るさ補正が完了しているので、第２画像処理の要求を、例えば、行わない。或いは、テレビ会議装置１０１−１の変更手段３０４は、テレビ会議装置１０１−３に対して、デフォルトの第２画像処理を要求するもの等であっても良い。
【００７９】
上記処理により、送信側のテレビ会議装置１０１−１は、複数の利用シーン情報に応じた第１画像処理を行い、追加の画像処理が必要なテレビ会議装置１０１−２に対して、第２画像処理を要求する。
【００８０】
図９は、第２の実施形態に係るテレビ会議装置（受信側）の処理の流れを示すフローチャートである。受信側のテレビ会議装置、例えば、テレビ会議装置１０１−２は、受信した会議の画像にデフォルトの設定で第２画像処理を行う（ステップＳ９０１）。尚、このとき、デフォルトの設定による第２画像処理は、特に何も画像処理を行わないで、画像をスルーさせるもの等であっても良い。
【００８１】
また、テレビ会議装置１０１−２は、ステップＳ９０２において、会議が終了したかどうかの判断を行い、会議が終了していない場合、通信先のテレビ会議装置１０１−１等から第２画像処理の要求と情報があるかどうかを判断する（ステップＳ９０３）。一方、ステップＳ９０２において、会議が終了している場合、テレビ会議装置１０１−２は、処理を終了する。
【００８２】
ステップＳ９０３において、通信先のテレビ会議装置１０１−１等から、第２画像処理の要求と情報がある場合、受信した情報に基づいて、受信した会議の画像に第２画像処理を行い、表示手段３０８に表示する。一方、ステップＳ９０３について、第２画像処理の要求と情報がない場合、ステップＳ９０２に戻って、処理を繰り返す。
【００８３】
尚、上記説明において、送信側のテレビ会議装置１０１−１が、受信側のテレビ会議装置１０１−２等に第２画像処理を要求する際、第２画像処理の要求と共に第２画像処理の情報を送信するものとして説明を行ったが、これは、あくまで一例である。例えば、送信側のテレビ会議装置１０１−１は、第２画像処理の要求だけを送信するものであっても良い。この場合、受信側のテレビ会議装置１０１−２等は、第２画像処理の要求に応じた画像処理パラメータ等の情報を、自装置、またはサーバ装置１０２等に予め記憶しておけば良い。
【００８４】
上記処理により、テレビ会議システム１００は、利用シーンの異なる複数の通信先に対して、撮像した会議の画像に適切な画像処理を行うことができるようになる。
【００８５】
［第３の実施形態］
第１の実施形態の第１画像処理手段３０２に相当する画像処理機能は、サーバ装置１０２が有していても良い。本実施形態では、サーバ装置１０２が画像処理機能を有している場合の例について説明する。尚、基本的な構成、及び処理は第１の実施形態と同様なので、ここでは差分を中心に説明を行う。
【００８６】
＜ハードウェア構成＞
（サーバ装置のハードウェア構成）
図１０は、第３の実施形態に係るサーバ装置のハードウェア構成例を示す図である。サーバ装置１０２は、一般的なコンピュータの構成を有しており、例えば、ＣＰＵ１００１、ＲＡＭ１００２、ＲＯＭ１００３、ストレージ部１００４、通信Ｉ／Ｆ部１００５、外部Ｉ／Ｆ部１００６、表示部１００７、入力部１００８、バス１００９等を有する。
【００８７】
ＣＰＵ１００１は、ＲＯＭ１００３やストレージ部１００４等からプログラムやデータをＲＡＭ１００２上に読み出して処理を実行することにより、サーバ装置１０２の様々な機能を実現する演算装置である。ＲＡＭ１００２は、ＣＰＵ１００１のワークエリア等として用いられる揮発性のメモリである。ＲＯＭ１００３は、例えば、サーバ装置１０２の起動時に実行されるＢＩＯＳ（Basic Input / Output System）や、各種の設定等を記憶する不揮発性のメモリであり、例えば、フラッシュＲＯＭ等で構成される。
【００８８】
ストレージ部１００４は、例えば、ＯＳ（Operating System）、アプリケーションプログラム、各種データ等を記憶する不揮発性の記憶装置であり、例えば、ＨＤＤ、ＳＳＤ等で構成される。
【００８９】
通信Ｉ／Ｆ部１００５は、サーバ装置１０２をネットワーク１０３に接続し、複数のテレビ会議装置１０１−１〜１０１−４等とデータ通信を行うための通信インタフェースである。
【００９０】
外部Ｉ／Ｆ１００６は、外部装置を接続するためのインタフェースである。外部装置には、例えば、ＵＳＢ（Universal Serial Bus）メモリ、メモリカード、光学ディスク等の記録媒体や、各種の電子機器等が含まれる。
【００９１】
表示部１００７は、サーバ装置１０２の処理結果等を表示する、例えば、ＬＣＤディスプレイ等の表示装置である。入力部１００８は、サーバ装置１０２へのユーザの操作を受付けるための、例えば、キーボード、マウス、タッチパネル等の入力装置である。尚、表示部１００７と入力部１００８は、表示装置と入力装置とが一体化された、例えば、タッチパネルディスプレイ等の表示入力部であっても良い。バス１００９は、上記各構成に接続され、アドレス信号、データ信号、及び各種制御信号等を伝達する。
【００９２】
尚、上記のサーバ装置１０２の構成はあくまで一例である。例えば、サーバ装置１０２は、画像処理を実行又は支援するための画像処理プロセッサや、ＤＳＰ等をさらに有していても良い。
【００９３】
＜機能構成＞
図１１は、第３の実施形態に係るテレビ会議システムの機能構成図である。テレビ会議システム１００は、ネットワーク１０３に接続されたテレビ会議装置１０１−１〜１０１−３、及びサーバ装置１０２を含む。
【００９４】
図１１の例では、説明を簡単にするため、送信側のテレビ会議装置１０１−１によって撮像された会議の画像を、サーバ装置１０２を介して、受信側のテレビ会議装置１０１−２、１０１−３に配信する場合の構成について説明する。
【００９５】
尚、図１１において、実線の矢印は、送信側のテレビ会議装置１０１−１から送信される画像データの流れを示し、破線の矢印は、受信側のテレビ会議装置１０１−２から送信される利用シーン情報の流れを示す。
【００９６】
（送信側のテレビ会議装置の機能構成）
送信側のテレビ会議装置１０１−１は、会議の画像を撮像する撮像する撮像手段３０１と、撮像手段３０１が撮像した画像をサーバ装置１０２に送信する送信手段３０３とを少なくとも有する。尚、撮像手段３０１及び送信手段３０３の構成は、第１の実施形態と同様で良い。
【００９７】
上記の構成により、テレビ会議装置１０１−１は、撮像手段３０１により、所定の設定（例えばデフォルトの明るさ設定）で会議の画像を撮像し、撮像された画像をサーバ装置１０２に送信する。尚、図１１に示すテレビ会議装置１０１−１の構成はあくまで一例である。例えば、テレビ会議装置１０１−１は、第１の実施形態と同様に第１画像処理手段３０２を有し、撮像手段３０１によって撮像された画像に所定の画像処理（例えばデフォルトの画像処理）を行い、画像処理された画像をサーバ装置１０２に送信するもの等であっても良い。
【００９８】
（サーバ装置の機能構成）
サーバ装置１０２は、受信手段１１０１、画像処理手段１１０２、送信手段１１０３、変更手段１１０４、会議制御手段１１０５等を含む。
【００９９】
受信手段１１０１は、送信側のテレビ会議装置１０１−１から送信された画像を受信する。例えば、撮像手段３０１によって撮像された画像や、撮像手段３０１で撮像された画像を画像処理した画像等、撮像手段３０１によって撮像された画像に基づく第１の画像を受信する。また、受信手段は、受信側のテレビ会議装置１０１−２から送信された利用シーン情報等の受信も行う。受信手段１１０１は、例えば、図１０の通信Ｉ／Ｆ部１００５等によって実現される。
【０１００】
画像処理手段１１０２は、受信手段１１０１が受信した第１の画像に画像処理を行う。画像処理手段１１０２は、例えば、テレビ会議装置１０１−２に配信する画像に第１の画像処理を行い、テレビ会議装置１０１−３に配信する画像に第２の画像処理を行う等、複数の受信側のテレビ会議装置毎に異なる画像処理を実行可能である。画像処理手段１１０２は、例えば、図１０のＣＰＵ１００１で動作するプログラム等によって実現される。
【０１０１】
送信手段１１０３は、画像処理手段１１０２によって画像処理された画像を受信側のテレビ会議装置１０１−２、１０１−３等に送信する。例えば、送信手段１１０３は、画像処理手段１１０２によって第１の画像処理が行われた画像（第２の画像）をテレビ会議装置１０１−２に送信する。また、送信手段１１０３は、画像処理手段１１０２によって第２の画像処理が行われた画像（第３の画像）をテレビ会議装置１０１−３に送信する。
【０１０２】
変更手段１１０４は、受信側のテレビ会議装置１０１−２、１０１−３から、利用シーン情報を受信した場合、画像処理手段１１０２による画像処理の処理内容を変更する。例えば、変更手段１１０４は、画像処理手段１１０２によって第１の画像処理が行われた画像を配信したテレビ会議装置１０１−２から利用シーン情報を受信した場合、受信した利用シーン情報に応じて、第１の画像処理の処理内容を変更する。また、変更手段１１０４は、画像処理手段１１０２によって第２の画像処理が行われた画像を配信したテレビ会議装置１０１−３から利用シーン情報を受信した場合、受信した利用シーン情報に応じて、第２の画像処理の処理内容を変更する。
【０１０３】
会議制御手段１１０５は、複数のテレビ会議装置１０１−１〜１０１−３によるテレビ会議の制御を行う。例えば、会議制御手段１１０５は、テレビ会議装置１０１−１〜１０１−３の接続状態のモニタ、テレビ会議の開始／終了時の接続制御、テレビ会議中の画像や音声等の送受信等の制御を行う。
【０１０４】
（受信側のテレビ会議装置の機能構成）
受信側のテレビ会議装置１０１−２は、受信手段３０６、表示手段３０８、表示制御手段３０９、送信手段３１０を有する。尚、テレビ会議装置１０１−３は、テレビ会議装置１０１−２と同様の構成を有しているものとする。
【０１０５】
受信手段３０６は、サーバ装置１０２から送信された画像、例えば、画像処理手段１１０２によって画像処理された会議の画像等を受信する。表示手段３０８は、受信手段３０６が受信した会議の画像等を表示する。表示制御手段３０９は、例えば、ユーザの操作等に応じて、表示手段３０８に予め定められた複数の利用シーンを選択可能に表示する。また、表示制御手段３０９は、ユーザに選択された利用シーンに対応する利用シーン情報を、送信手段３１０を介してサーバ装置１０２に送信する。送信手段３１０は、表示制御手段３０９から受付けた利用シーン情報等をサーバ装置１０２に送信する。
【０１０６】
尚、受信手段３０６、表示手段３０８、表示制御手段３０９、及び送信手段３１０の構成は、第１の実施形態と同様で良い。
【０１０７】
＜処理の流れ＞
図１２は、第３の実施形態に係るサーバ装置の処理の流れを示すフローチャートである。会議を開始すると、サーバ装置１０２は、送信側の機器（例えば、テレビ会議装置１０１−１）から受信した画像に、デフォルトの画像処理を行い、受信側の機器（例えば、テレビ会議装置１０１−２）に送信する（ステップＳ１２０１）。
【０１０８】
ステップＳ１２０２において、サーバ装置１０２は、会議が終了したか否かの判断を行う。ステップＳ１２０２において、会議が終了した場合、サーバ装置１０２は、処理を終了する。一方、ステップＳ１２０２において、会議が終了していない場合、ステップＳ１２０３へ移行し、受信側の機器から利用シーン情報の変更があるか否かを判断する。
【０１０９】
ステップＳ１２０３おいて、受信側の機器から利用シーン情報の変更がある場合、ステップＳ１２０４へ移行し、送信側の機器から受信した画像に、変更された利用シーン情報に応じた画像処理を行い、受信側の機器へ送信する。一方、ステップＳ１２０３において、受信側の機器から利用シーン情報の変更がない場合、ステップＳ１２０２に戻って、同様の処理を繰り返す。
【０１１０】
次に、テレビ会議システム１００の処理の一例について説明する。
【０１１１】
図１３は、第３の実施形態に係る会議システムの処理の一例を示すシーケンスチャートである。
【０１１２】
ステップＳ１３０１において、テレビ会議装置１０１−１は、撮像手段３０１によって撮像された画像や、撮像手段３０１で撮像された画像を画像処理した画像等、撮像手段３０１によって撮像された画像に基づく会議の画像をサーバ装置１０２に送信する。尚、テレビ会議装置１０１−１による会議の画像の送信は、例えば、テレビ会議が終了するまで継続的に行われる。
【０１１３】
ステップＳ１３０２において、サーバ装置１０２の画像処理手段１１０２は、テレビ会議装置１０１−１から受信した会議の画像に、例えば、デフォルト設定等で画像処理を実施する。
【０１１４】
ステップＳ１３０３において、サーバ装置１０２の送信手段１１０３は、画像処理手段１１０２によってデフォルト設定等の画像処理が実施された画像を受信側のテレビ会議装置１０１−２に送信する。尚、ステップＳ１３０２、Ｓ１３０３の処理は、例えば、会議が終了するまで、或いはテレビ会議装置１０１−２から利用シーン情報を受信するまで継続的に行われる。
【０１１５】
ステップＳ１３０４において、テレビ会議装置１０１−２は、利用者の操作等に応じて、「会議室環境」の利用シーンを指定する利用シーン情報（利用シーンの変更通知）をサーバ装置１０２に送信する。
【０１１６】
ステップＳ１３０５において、テレビ会議装置１０１−２から利用シーン情報を受信したサーバ装置１０２の変更手段１１０４は、受信した利用シーン情報（会議室環境）に応じて、画像処理手段１１０２による画像処理の処理内容を変更する。例えば、変更手段１１０４は、画像処理手段１１０２による画像処理の処理内容を「デフォルト設定」から、一般的な会議室の環境に最適な画像となるように画像処理（例えば、画像の明るさ調整）を行う「会議室環境」に変更する。
【０１１７】
ステップＳ１３０６において、サーバ装置１０２の送信手段１１０３は、画像処理手段１１０２によって「会議室環境」の画像処理が実施された画像を受信側のテレビ会議装置１０１−２に送信する。尚、ステップＳ１３０５、Ｓ１３０６の処理は、例えば、会議が終了するまで、或いはテレビ会議装置１０１−２から別の利用シーン情報を受信するまで継続的に行われる。
【０１１８】
ステップＳ１３０７において、テレビ会議装置１０１−２は、利用者の操作等に応じて、「プロジェクタ環境」の利用シーンを指定する利用シーン情報（利用シーンの変更通知）をサーバ装置１０２に送信する。
【０１１９】
ステップＳ１３０８において、テレビ会議装置１０１−２から利用シーン情報を受信したサーバ装置１０２の変更手段１１０４は、受信した利用シーン情報（プロジェクタ環境）に応じて、画像処理手段１１０２による画像処理の処理内容を変更する。例えば、変更手段１１０４は、画像処理手段１１０２による画像処理の処理内容を「デフォルト設定」から、プロジェクタで表示した画像が見易くなるように画像処理を行う「プロジェクタ環境」に変更する。
【０１２０】
ステップＳ１３０９において、サーバ装置１０２の送信手段１１０３は、画像処理手段１１０２によって「プロジェクタ環境」の画像処理が実施された画像を受信側のテレビ会議装置１０１−２に送信する。
【０１２１】
このように、本実施形態に係るテレビ会議システム１００では、サーバ装置１０２が、受信側のテレビ会議装置１０１−２から受信した利用シーン情報に応じた画像処理を行う。サーバ装置１０２が画像処理を行うことにより、送信側のテレビ会議装置１０１−１、及び受信側のテレビ会議装置１０１−２の負荷を軽減させることができる。
【０１２２】
次に、受信側のテレビ会議装置が複数ある場合の処理について説明する。
【０１２３】
図１４は、第３の実施形態に係る会議システムの処理の別の一例を示すシーケンスチャートである。尚、基本的な処理は、図１２と同様なので、ここでは差分を中心に説明を行う。
【０１２４】
ステップＳ１４０１において、テレビ会議装置１０１−１は、撮像手段３０１によって撮像された画像や、撮像手段３０１で撮像された画像を画像処理した画像等、撮像手段３０１によって撮像された画像に基づく会議の画像をサーバ装置１０２に送信する。
【０１２５】
ステップＳ１４０２において、サーバ装置１０２の画像処理手段１１０２は、テレビ会議装置１０１−１から受信した会議の画像（第１の画像）に、例えば、デフォルト設定等で第１の画像処理を実施する。
【０１２６】
ステップＳ１４０３において、サーバ装置１０２の送信手段１１０３は、画像処理手段１１０２によって第１の画像処理が実施された画像（第２の画像）を受信側のテレビ会議装置１０１−２（第１の機器）に送信する。
【０１２７】
ステップＳ１４０４において、サーバ装置１０２の画像処理手段１１０２は、テレビ会議装置１０１−１から受信した会議の画像（第１の画像）に、例えば、デフォルト設定等で第２の画像処理を実施する。
【０１２８】
ステップＳ１４０５において、サーバ装置１０２の送信手段１１０３は、画像処理手段１１０２によって第２の画像処理が実施された画像（第３の画像）を受信側のテレビ会議装置１０１−３に送信する。
【０１２９】
ステップＳ１４０６において、例えば、テレビ会議装置１０１−２は、利用者の操作等に応じて、「会議室環境」の利用シーンを指定する利用シーン情報（利用シーンの変更通知）をサーバ装置１０２に送信する。これにより、サーバ装置１０２の変更手段１１０４は、受信した利用シーン情報に応じて、画像処理手段１１０２による第１の画像処理の処理内容を「会議室環境」に変更する。
【０１３０】
ステップＳ１４０７において、テレビ会議装置１０１−１から受信した会議の画像に、一般的な会議室の環境に最適な画像となるように画像処理を行う「会議室環境」の設定で第１の画像処理を行う。
【０１３１】
ステップＳ１４０８において、サーバ装置１０２の送信手段１１０３は、画像処理手段１１０２によって第１の画像処理が実施された画像を受信側のテレビ会議装置１０１−２に送信する。
【０１３２】
ステップＳ１４０９において、サーバ装置１０２は、テレビ会議装置１０１−３から、利用シーン情報を受信していないので、サーバ装置１０２の画像処理手段１１０２は、ステップＳ１４０４と同様に、デフォルト設定等で第２の画像処理を継続する。
【０１３３】
ステップＳ１４１０において、サーバ装置１０２の送信手段１１０３は、画像処理手段１１０２によって第２の画像処理が実施された画像を受信側のテレビ会議装置１０１−３に送信する。
【０１３４】
このように、本実施形態に係るサーバ装置１０２は、テレビ会議装置１０１−３から受信した利用シーン情報に応じて第１の画像処理の処理内容を変更する。同様に、サーバ装置１０２は、テレビ会議装置１０１−２から利用シーン情報を受信した場合、受信した利用シーン情報に応じて第２の画像処理の処理内容を変更する。
【０１３５】
従って、本実施形態に係るテレビ会議システム１００によれば、利用シーンが異なる複数の通信機器の各々に対して、利用シーンに応じた適切な画像処理を容易に行うことができるようになる。
【０１３６】
尚、第１〜第３の実施形態に係るテレビ会議システム１００の構成はあくまで一例であり、本発明の範囲を限定するものではない。例えば、複数の利用シーンを選択可能に表示させる表示制御手段３０９は、サーバ装置１０２が有していても良い。この場合、例えば、テレビ会議装置１０１−２から、ウェブブラウザ等でサーバ装置１０２が提供するウェブサーバにアクセスし、利用シーンの選択画面を表示させ、利用シーンを選択すれば良い。
【０１３７】
＜まとめ＞
本発明の一実施形態に係るテレビ会議装置１０１は、通信先の機器に送信する画像を撮像する撮像手段３０１と、撮像された画像に第１画像処理を行う第１画像処理手段３０２と、第１画像処理が行われた画像を通信先の機器に送信する送信手段３０３と、を有する。さらに、テレビ会議装置１０１は、予め定められた複数の利用シーンのうちの少なくとも一の利用シーンを指定する利用シーン情報を通信先の機器から受信した場合、受信した利用シーン情報に応じて第１画像処理の処理内容を変更する変更手段３０４を有する。
【０１３８】
上記構成により、テレビ会議装置１０１は、通信先に送信する会議の画像に、通信先の利用シーンに応じた画像処理を行うことができる。すなわち、本実施の形態によれば、利用シーンが異なる通信先に応じて、撮像した画像に明るさ調整等の適切な画像処理を行うことを容易にするテレビ会議装置（情報処理装置）１０１を提供することができる。
【０１３９】
また、変更手段３０４は、受信した利用シーン情報と、第１画像処理の処理内容とに基づいて、通信先の機器に送信した画像の画像処理を要求する。これにより、利用シーンの異なる複数の通信先に対しても、撮像した会議の画像に適切な画像処理を行うことを容易にする。
【符号の説明】
【０１４０】
１００    テレビ会議システム（会議システム）
１０１    テレビ会議装置（情報処理装置）
１０１−２    テレビ会議装置（第１の機器）
１０１−３    テレビ会議装置（第２の機器）
１０２    サーバ装置
３０１    撮像手段
３０２    第１画像処理手段
３０３、３１０、１１０３    送信手段
３０４、１１０４    変更手段
３０５、３０６、１１０１    受信手段
３０７    第２画像処理手段
３０８    表示手段
３０９    表示制御手段
１１０２    画像処理手段
【先行技術文献】
【特許文献】
【０１４１】
【特許文献１】特開２０１３−１６９３３号公報
【図１】
2015188200.tif 000003
【図２】
2015188200.tif 000004
【図３】
2015188200.tif 000005
【図４】
2015188200.tif 000006
【図５】
2015188200.tif 000007
【図６】
2015188200.tif 000008
【図７】
2015188200.tif 000009
【図８】
2015188200.tif 000010
【図９】
2015188200.tif 000011
【図１０】
2015188200.tif 000012
【図１１】
2015188200.tif 000013
【図１２】
2015188200.tif 000014
【図１３】
2015188200.tif 000015
【図１４】
2015188200.tif 000016